(57)【要約】【課題】大規模な安全対策が不要で大幅なコスト低減と高信頼性を実現でき、並列運転する冷陰極管蛍光灯の電流バランスを安定化できる放電灯点灯装置を提供する。【解決手段】スイッチング素子Ｑ１、Ｑ２のオン・オフにより発生された交流電圧を入力する１次巻線Ｐ１と２次巻線Ｓ１とを備えた第１トランスＴ１と、１次巻線Ｐ２が第１トランスの１次巻線又は２次巻線に並列に接続され、第１の２次巻線Ｓ２１及び第２の２次巻線Ｓ２２の各々が第１トランスの２次巻線の電圧に加算する極性になるように該第１トランスの２次巻線に接続された第２トランスＴ２と、第１トランスの２次巻線と第２トランスの第１の２次巻線から成る直列回路に並列接続された冷陰極管蛍光灯１１ａと、第１トランスの２次巻線と第２トランスの第２の２次巻線から成る直列回路に並列接続された冷陰極管蛍光灯１１ｂを備える。【選択図】図１
2007317502.tif 000002
【特許請求の範囲】
【請求項１】
直流電源に接続されたスイッチング素子をオン・オフさせることにより発生された交流電圧を入力する１次巻線と該１次巻線に入力された交流電圧を変圧して出力する２次巻線とを備えた第１トランスと、
１次巻線が前記第１トランスの１次巻線又は２次巻線に並列に接続され、第１の２次巻線及び第２の２次巻線の各々が前記第１トランスの２次巻線の電圧に加算する極性になるように該第１トランスの２次巻線に接続された第２トランスと、
前記第１トランスの２次巻線と前記第２トランスの第１の２次巻線とから成る直列回路に並列に接続された第１放電灯と、
前記第１トランスの２次巻線と前記第２トランスの第２の２次巻線とから成る直列回路に並列に接続された第２放電灯と、
を備えることを特徴とする放電灯点灯装置。
【請求項２】
直流電源に接続されたスイッチング素子をオン・オフさせることにより発生された交流電圧を入力する１次巻線と該１次巻線に入力された交流電圧を変圧して出力する２次巻線とを備えた第１トランスと、
１次巻線が前記第１トランスの１次巻線又は２次巻線に並列に接続され、２次巻線が前記第１トランスの２次巻線の電圧に加算する極性になるように該第１トランスの２次巻線に接続された第２トランスと、
１次巻線が前記第１トランスの１次巻線又は２次巻線に並列に接続され、２次巻線が前記第１トランスの２次巻線の電圧に加算する極性になるように該第１トランスの２次巻線に接続された第３トランスと、
前記第１トランスの２次巻線と前記第２トランスの２次巻線とから成る直列回路に並列に接続された第１放電灯と、
前記第１トランスの２次巻線と前記第３トランスの２次巻線とから成る直列回路に並列に接続された第２放電灯と、
を備えることを特徴とする放電灯点灯装置。
【請求項３】
直流電源に接続されたスイッチング素子をオン・オフさせることにより発生された交流電圧を入力する１次巻線と該１次巻線に入力された交流電圧を変圧して出力する２次巻線とを備えた第１トランスと、
１次巻線が前記第１トランスの１次巻線又は２次巻線に並列に接続され、２次巻線が前記第１トランスの２次巻線の電圧に加算する極性になるように該第１トランスの２次巻線に接続された第２トランスと、
１次巻線が前記第２トランスの１次巻線に直列に接続され、２次巻線が前記第１トランスの２次巻線の電圧に加算する極性になるように該第１トランスの２次巻線に接続された第３トランスと、
前記第１トランスの２次巻線と前記第２トランスの２次巻線とから成る直列回路に並列に接続された第１放電灯と、
前記第１トランスの２次巻線と前記第３トランスの２次巻線とから成る直列回路に並列に接続された第２放電灯と、
を備えることを特徴とする放電灯点灯装置。
【請求項４】
直流電源に接続されたスイッチング素子をオン・オフさせることにより発生された交流電圧を入力する１次巻線と該１次巻線に入力された交流電圧を変圧して出力する２次巻線とを備えた第１トランスと、
１次巻線が前記第１トランスの１次巻線又は２次巻線に直列に接続され、第１の２次巻線及び第２の２次巻線の各々が前記第１トランスの２次巻線の電圧に加算する極性になるように該第１トランスの２次巻線に接続された第２トランスと、
前記第１トランスの２次巻線と前記第２トランスの第１の２次巻線とから成る直列回路に並列に接続された第１放電灯と、
前記第１トランスの２次巻線と前記第２トランスの第２の２次巻線とから成る直列回路に並列に接続された第２放電灯と、
を備えることを特徴とする放電灯点灯装置。
【請求項５】
直流電源に接続されたスイッチング素子をオン・オフさせることにより発生された交流電圧を入力する１次巻線と該１次巻線に入力された交流電圧を変圧して出力する２次巻線とを備えた第１トランスと、
１次巻線が前記第１トランスの１次巻線又は２次巻線に直列に接続され、２次巻線が前記第１トランスの２次巻線の電圧に加算する極性になるように前記第１トランスの２次巻線に接続された第２トランスと、
１次巻線が前記第１トランスの１次巻線又は２次巻線に直列に接続され、２次巻線が前記第１トランスの２次巻線の電圧に加算する極性になるように前記第１トランスの２次巻線に接続された第３トランスと、
前記第１トランスの２次巻線と前記第２トランスの２次巻線とから成る直列回路に並列に接続された第１放電灯と、
前記第１トランスの２次巻線と前記第３トランスの２次巻線とから成る直列回路に並列に接続された第２放電灯と、
を備えることを特徴とする放電灯点灯装置。
【請求項６】
直流電源に接続されたスイッチング素子をオン・オフさせることにより発生された交流電圧を入力する１次巻線と該１次巻線に入力された交流電圧を変圧して出力する２次巻線とを備えた第１トランスと、
１次巻線が前記第１トランスの１次巻線又は２次巻線に直列に接続され、２次巻線が前記第１トランスの２次巻線の電圧に加算する極性になるように該第１トランスの２次巻線に接続された第２トランスと、
１次巻線が前記第２トランスの１次巻線に直列に接続され、２次巻線が前記第１トランスの２次巻線の電圧に加算する極性になるように前記第１トランスの２次巻線に接続された第３トランスと、
前記第１トランスの２次巻線と前記第２トランスの２次巻線とから成る直列回路に並列に接続された第１放電灯と、
前記第１トランスの２次巻線と前記第３トランスの２次巻線とから成る直列回路に並列に接続された第２放電灯と、
とを備えることを特徴とする放電灯点灯装置。
【請求項７】
前記第２トランスの１次巻線と前記第２トランスの第１の２次巻線、前記第２トランスの１次巻線と前記第２トランスの第２の２次巻線、前記第２トランスの第１の２次巻線と前記第２トランスの第２の２次巻線のそれぞれは疎結合であることを特徴とする請求項１又は請求項４記載の放電灯点灯装置。
【請求項８】
前記第２トランスの１次巻線と前記第２トランスの２次巻線、前記第３トランスの１次巻線と前記第３トランスの２次巻線のそれぞれは疎結合であることを特徴とする請求項２又は請求項３又は請求項５又は請求項６記載の放電灯点灯装置。
【発明の詳細な説明】
【技術分野】
【０００１】
本発明は、放電灯、特に冷陰極管蛍光灯（ＣＣＦＬ：Cold Cathode Fluorescent Lamp）を点灯させる放電灯点灯装置に関し、特に複数の冷陰極管蛍光灯を並列運転する技術に関する。
【背景技術】
【０００２】
図９は、従来の放電灯点灯装置の構成を示す図である。この放電灯点灯装置は、直流電源Ｅに直列に接続された第１スイッチング素子Ｑ１及び第２スイッチング素子Ｑ２を備えている。第１スイッチング素子Ｑ１及び第２スイッチング素子Ｑ２は、制御回路１０からの制御信号に応じてオン・オフする。制御回路１０は、ＰＷＭ制御、位相制御、周波数制御等を用いて第１スイッチング素子Ｑ１及び第２スイッチング素子Ｑ２のオン・オフを制御する。
【０００３】
第２スイッチング素子Ｑ２には、電圧擬似共振用コンデンサＣ６が並列に接続されるとともに、第１トランスＴ１の１次巻線Ｐ１及び電流共振用コンデンサＣ４から成る直列回路が並列に接続されている。第１トランスＴ１は、共振動作を司るためのリーケージインダクタンスＬｒを有している。
【０００４】
第１トランスＴ１の２次巻線Ｓ１には、冷陰極管蛍光灯１１ａとバラスト用コンデンサＣ１１とから成る直列回路と、冷陰極管蛍光灯１１ｂとバラスト用コンデンサＣ１２とから成る直列回路とが、抵抗ＲＳを介してそれぞれ接続されている。抵抗ＲＳは、電流を検知するための電流検知抵抗であり、この抵抗ＲＳで検出された電流を表す信号は、１次側の制御回路１０にフィードバックされる。制御回路１０は、抵抗ＲＳからフィードバックされる信号により第１スイッチング素子Ｑ１及び第２スイッチング素子Ｑ２のオン・オフを制御し、第１トランスＴ１の１次巻線Ｐ１に印加する交流電圧を制御する。
【０００５】
図１０は、冷陰極管蛍光灯の一般的な電圧−電流特性を示す。冷陰極管蛍光灯は、印加される電圧（管電圧）が下がると電流（管電流）が増えるという負性抵抗特性を有する。このため、放電灯点灯装置では、この負性抵抗特性を吸収するために、冷陰極管蛍光灯に直列にインピーダンスが挿入される。このインピーダンスとしては、冷陰極管蛍光灯の負性抵抗特性を吸収できる十分な値が必要である。冷陰極管蛍光灯を１灯だけ点灯させる場含は、第１トランスＴ１のリーケージインダクタンスＬｒをインピーダンスとして用いることができる。
【０００６】
しかしながら、複数の冷陰極管蛍光灯を並列運転する場合は、複数の冷陰極管蛍光灯を単純に並列接続しただけでは、先に点灯した冷陰極管蛍光灯によりインピーダンスによる電圧降下が起こり、残りの冷陰極管蛍光灯は点灯できない。この問題を回避するために、各冷陰極管蛍光灯に直列にインピーダンスが挿入されている。図９に示す例では、インピーダンスとしてバラスト用コンデンサＣ１１及びバラスト用コンデンサＣ１２が用いられている。これにより、第１トランスＴ１の２次巻線Ｓ１の電圧は、各冷陰極管蛍光灯の点灯及び不点灯による影響が少なくなり、各冷陰極管蛍光灯は確実に点灯する。
【０００７】
なお、放電灯点灯装置の１つとして、特許文献１は、マルチランプ駆動システムを開示している。このマルチランプ駆動システムは、第１ランプ及び第２ランプからなるランプセットを駆動するために用いられ、ＤＣ信号をＡＣ信号に転換する駆動回路と、１次側が駆動回路に電気的に接続され２次側がＡＣ電源を出力する変圧器と、ランプセットに電気的に接続し、第１ランプと第２ランプの電流を平衡にする電流平衡回路とからなる。電流平衡回路はコアと、第１ランプに電気的に接続された第１巻線と、第２ランプに電気的に接続された第２巻線からなり、第１巻線と第２巻線は同一のコアに巻かれており、巻き数は同じである。
【特許文献１】特開２００３−３１３８３号公報
【発明の開示】
【発明が解決しようとする課題】
【０００８】
しかしながら、上述した従来の放電灯点灯装置には、以下のような問題がある。すなわち、第１トランスＴ１は、バラスト用コンデンサＣ１１及びバラスト用コンデンサＣ１２に印加する電圧と冷陰極管蛍光灯に印加する電圧との和から成る高電圧を２次巻線Ｓ１に発生する必要がある。その結果、信頼性を確保したり、また、リーク防止や沿面距離及び空間距離を確保したりといった大規模な安全対策が必要になるために装置が高価になるという問題がある。
【０００９】
本発明の課題は、大規模な安全対策が不要であり、大幅なコスト低減と高信頼性を実現することができ、しかも、並列運転する冷陰極管蛍光灯の電流バランスを安定させることができる放電灯点灯装置を提供することにある。
【課題を解決するための手段】
【００１０】
上記課題を解決するために、請求項１記載の発明は、直流電源に接続されたスイッチング素子をオン・オフさせることにより発生された交流電圧を入力する１次巻線と該１次巻線に入力された交流電圧を変圧して出力する２次巻線とを備えた第１トランスと、１次巻線が第１トランスの１次巻線又は２次巻線に並列に接続され、第１の２次巻線及び第２の２次巻線の各々が第１トランスの２次巻線の電圧に加算する極性になるように該第１トランスの２次巻線に接続された第２トランスと、第１トランスの２次巻線と第２トランスの第１の２次巻線とから成る直列回路に並列に接続された第１放電灯と、第１トランスの２次巻線と第２トランスの第２の２次巻線とから成る直列回路に並列に接続された第２放電灯とを備えることを特徴とする。
【００１１】
また、請求項２記載の発明は、直流電源に接続されたスイッチング素子をオン・オフさせることにより発生された交流電圧を入力する１次巻線と該１次巻線に入力された交流電圧を変圧して出力する２次巻線とを備えた第１トランスと、１次巻線が第１トランスの１次巻線又は２次巻線に並列に接続され、２次巻線が第１トランスの２次巻線の電圧に加算する極性になるように該第１トランスの２次巻線に接続された第２トランスと、１次巻線が第１トランスの１次巻線又は２次巻線に並列に接続され、２次巻線が第１トランスの２次巻線の電圧に加算する極性になるように該第１トランスの２次巻線に接続された第３トランスと、第１トランスの２次巻線と第２トランスの２次巻線とから成る直列回路に並列に接続された第１放電灯と、第１トランスの２次巻線と第３トランスの２次巻線とから成る直列回路に並列に接続された第２放電灯とを備えることを特徴とする。
【００１２】
また、請求項３記載の発明は、直流電源に接続されたスイッチング素子をオン・オフさせることにより発生された交流電圧を入力する１次巻線と該１次巻線に入力された交流電圧を変圧して出力する２次巻線とを備えた第１トランスと、１次巻線が第１トランスの１次巻線又は２次巻線に並列に接続され、２次巻線が第１トランスの２次巻線の電圧に加算する極性になるように該第１トランスの２次巻線に接続された第２トランスと、１次巻線が第２トランスの１次巻線に直列に接続され、２次巻線が第１トランスの２次巻線の電圧に加算する極性になるように該第１トランスの２次巻線に接続された第３トランスと、第１トランスの２次巻線と第２トランスの２次巻線とから成る直列回路に並列に接続された第１放電灯と、第１トランスの２次巻線と第３トランスの２次巻線とから成る直列回路に並列に接続された第２放電灯とを備えることを特徴とする。
【００１３】
また、請求項４記載の発明は、直流電源に接続されたスイッチング素子をオン・オフさせることにより発生された交流電圧を入力する１次巻線と該１次巻線に入力された交流電圧を変圧して出力する２次巻線とを備えた第１トランスと、１次巻線が第１トランスの１次巻線又は２次巻線に直列に接続され、第１の２次巻線及び第２の２次巻線の各々が第１トランスの２次巻線の電圧に加算する極性になるように該第１トランスの２次巻線に接続された第２トランスと、第１トランスの２次巻線と第２トランスの第１の２次巻線とから成る直列回路に並列に接続された第１放電灯と、第１トランスの２次巻線と第２トランスの第２の２次巻線とから成る直列回路に並列に接続された第２放電灯とを備えることを特徴とする。
【００１４】
また、請求項５記載の発明は、直流電源に接続されたスイッチング素子をオン・オフさせることにより発生された交流電圧を入力する１次巻線と該１次巻線に入力された交流電圧を変圧して出力する２次巻線とを備えた第１トランスと、１次巻線が第１トランスの１次巻線又は２次巻線に直列に接続され、２次巻線が第１トランスの２次巻線の電圧に加算する極性になるように第１トランスの２次巻線に接続された第２トランスと、１次巻線が第１トランスの１次巻線又は２次巻線に直列に接続され、２次巻線が第１トランスの２次巻線の電圧に加算する極性になるように第１トランスの２次巻線に接続された第３トランスと、第１トランスの２次巻線と第２トランスの２次巻線とから成る直列回路に並列に接続された第１放電灯と、第１トランスの２次巻線と第３トランスの２次巻線とから成る直列回路に並列に接続された第２放電灯とを備えることを特徴とする。
【００１５】
また、請求項６記載の発明は、直流電源に接続されたスイッチング素子をオン・オフさせることにより発生された交流電圧を入力する１次巻線と該１次巻線に入力された交流電圧を変圧して出力する２次巻線とを備えた第１トランスと、１次巻線が第１トランスの１次巻線又は２次巻線に直列に接続され、２次巻線が第１トランスの２次巻線の電圧に加算する極性になるように該第１トランスの２次巻線に接続された第２トランスと、１次巻線が第２トランスの１次巻線に直列に接続され、２次巻線が第１トランスの２次巻線の電圧に加算する極性になるように第１トランスの２次巻線に接続された第３トランスと、第１トランスの２次巻線と第２トランスの２次巻線とから成る直列回路に並列に接続された第１放電灯と、第１トランスの２次巻線と第３トランスの２次巻線とから成る直列回路に並列に接続された第２放電灯とを備えることを特徴とする。
【００１６】
さらに、請求項７記載の発明は、請求項１又は請求項４記載の発明において、第２トランスの１次巻線と第２トランスの第１の２次巻線、第２トランスの１次巻線と第２トランスの第２の２次巻線、第２トランスの第１の２次巻線と第２トランスの第２の２次巻線のそれぞれは疎結合であることを特徴とする。
【００１７】
また、請求項８記載の発明は、請求項２又は請求項３又は請求項５又は請求項６記載の放電灯点灯装置において、前記第２トランスの１次巻線と前記第２トランスの２次巻線、前記第３トランスの１次巻線と前記第３トランスの２次巻線のそれぞれは疎結合であることを特徴とする。
【発明の効果】
【００１８】
本発明によれば、第１及び第２放電灯に印加する電圧を第１トランスと第２トランス又は第３トランスとに分けて発生するので、各トランスの電圧を小さくすることができる。その結果、大規模な安全対策が不要であり、大幅なコスト低減と高信頼性を実現することができる。
【００１９】
また、第１及び第２放電灯に印加する電圧を第２トランス及び／又は第３トランスとから供給するので、各トランスのリーケージインダクタンスを第１及び第２放電灯の負性抵抗特性を吸収するインピーダンスとして用いることができ、並列運転する放電灯の電流バランスを安定させることができる。
【発明を実施するための最良の形態】
【００２０】
以下、本発明の実施の形態に係る放電灯点灯装置を、図面を参照しながら詳細に説明する。
【実施例１】
【００２１】
図１は、本発明の実施例１に係る放電灯点灯装置の構成を示す図である。１次側の構成及び動作は、背景技術の欄で説明した従来の放電灯点灯装置と同じであるので、説明は省略する。なお、図１では、制御回路１０及び電流検出用の抵抗ＲＳの記載は省略されている。
【００２２】
以下では、従来の放電灯点灯装置と相違する部分を中心に説明する。なお、図１において、黒丸はトランスの巻線の巻き始め位置を示しており、他の図においても同じである。また、ここでは、放電灯として冷陰極管蛍光灯を例示するが、外部電極蛍光灯、蛍光灯等の放電灯であっても良い。
【００２３】
２次側には、従来の放電灯点灯装置の第１バラストコンデンサＣ１１及び第２バラストコンデンサＣ１２の代わりに、第２トランスＴ２が設けられている。第２トランスＴ２は、１次巻線Ｐ２と第１の２次巻線Ｓ２１と第２の２次巻線Ｓ２２を備えている。第２トランスＴ２の３つの巻線は、Ｓ２１−Ｐ２−Ｓ２２の順番で巻かれており、第２トランスＴ２の１次巻線Ｐ２と第２トランスＴ２の第１の２次巻線Ｓ２１、第２トランスＴ２の１次巻線Ｐ２と第２トランスＴ２の第２の２次巻線Ｓ２２、第２トランスＴ２の第１の２次巻線Ｓ２１と第２トランスＴ２の第２の２次巻線Ｓ２２のそれぞれは疎結合である。
【００２４】
第１トランスＴ１の２次巻線Ｓ１に、冷陰極管蛍光灯１１ａと第２トランスＴ２の第１の２次巻線Ｓ２１とから成る直列回路と、冷陰極管蛍光灯１１ｂと第２トランスＴ２の第２の２次巻線Ｓ２２とから成る直列回路とが、それぞれ並列に接続されている。第２トランスＴ２の１次巻線Ｐ２は、第１トランスＴ１の１次巻線Ｐ１に並列に接続されている。第２トランスＴ２の第１の２次巻線Ｓ２１及び第２の２次巻線Ｓ２２の極性は、これらに発生する電圧が、第１トランスＴ１の２次巻線Ｓ１に発生する電圧に加算されるような極性になっている。
【００２５】
次に、上記のように構成される実施例１に係る放電灯点灯装置の動作を説明する。第１トランスＴ１の１次巻線Ｐ１及び第２トランスＴ２の１次巻線Ｐ２に印加される交流電圧により、第１トランスＴ１の２次巻線Ｓ１及び第２トランスＴ２の第１の２次巻線Ｓ２１及び第２の２次巻線Ｓ２２に電圧が発生する。これにより、冷陰極管蛍光灯１１ａには、第１トランスＴ１の２次巻線Ｓ１の電圧と第２トランスＴ２の第１の２次巻線Ｓ２１の電圧との和の電圧が印加される。同様に、冷陰極管蛍光灯１１ｂには、第１トランスＴ１の２次巻線Ｓ１の電圧と第２トランスＴ２の第２の２次巻線Ｓ２２の電圧との和の電圧が印加される。
【００２６】
これにより、冷陰極管蛍光灯１１ａ及び冷陰極管蛍光灯１１ｂがそれぞれ点灯する。第２トランスＴ２の第１の２次巻線Ｓ２１及び第２の２次巻線Ｓ２２は、疎結合であることから、一方の冷陰極管蛍光灯が点灯したとき、他方の冷陰極管蛍光灯に印加される電圧が低下しない。このため、冷陰極管蛍光灯１１ａ及び冷陰極管蛍光灯１１ｂの点灯による電圧降下の影響が少なく、安定した点灯が可能となる。
【００２７】
また、第２トランスＴ２の１次巻線Ｐ２と第２トランスＴ２の第１の２次巻線Ｓ２１、第２トランスＴ２の１次巻線Ｐ２と第２の２次巻線Ｓ２２との疎結合は、リーケージインダクタンスＬｒ１及びＬｒ２をそれぞれ作るため、冷陰極管蛍光灯１１ａ及び冷陰極管蛍光灯１１ｂの電流はバランスする。また、冷陰極管蛍光灯１１ａ及び冷陰極管蛍光灯１１ｂに印加される電圧は、第１トランスＴ１と第２トランスＴ２とで分け合うため、第１トランスＴ１及び第２トランスＴ２の出カ電圧は従来のそれよりも低くすることができる。したがって、信頼性を確保したり、また、リーク防止や沿面距離及び空間距離の確保といった大規模な安全対策は不要であるので、放電灯点灯装置を安価に構成できる。
【実施例２】
【００２８】
図２は、本発明の実施例２に係る放電灯点灯装置の構成を示す図である。この放電灯点灯装置は、実施例１に係る放電灯点灯装置において、第２トランスＴ２の１次巻線Ｐ１を、第１トランスＴ１の２次巻線Ｓ１に並列に接続したものである。この実施例２に係る放電灯点灯装置の場合も、実施例１に係る放電灯点灯装置と同様の作用及び効果が得られる。
【実施例３】
【００２９】
図３は、本発明の実施例３に係る放電灯点灯装置の構成を示す図である。この放電灯点灯装置は、実施例１に係る放電灯点灯装置の第２トランスＴ２を、第２トランスＴ２と第３トランスＴ３の２つに分けたものである。第２トランスＴ２は、１次巻線Ｐ２と２次巻線Ｓ２を備えている。第３トランスＴ３は、１次巻線Ｐ３と２次巻線Ｓ３を備えている。
【００３０】
第１トランスＴ１の２次巻線Ｓ１に、冷陰極管蛍光灯１１ａと第２トランスＴ２の２次巻線Ｓ２とから成る直列回路と、冷陰極管蛍光灯１１ｂと第３トランスＴ２の２次巻線Ｓ３とから成る直列回路とが、それぞれ並列に接続されている。第２トランスＴ２の１次巻線Ｐ２及び第３トランスＴ３の１次巻線Ｐ３は、第１トランスＴ１の１次巻線Ｐ１に並列に接続されている。第２トランスＴ２の２次巻線Ｓ２及び第３トランスＴ３の２次巻線Ｓ３は、これらに発生する電圧が、第１トランスＴ１の２次巻線Ｓ１に発生する電圧に加算される極性になるように、第１トランスＴ１の２次巻線Ｓ１に接続されている。
【００３１】
第２トランスＴ２の１次巻線Ｐ２と第２トランスＴ２の２次巻線Ｓ２、第３トランスＴ３の１次巻線Ｐ３と第３トランスＴ３の２次巻線Ｓ３のそれぞれは疎結合である。
【００３２】
次に、上記のように構成される実施例３に係る放電灯点灯装置の動作を説明する。第１トランスＴ１の１次巻線Ｐ１、第２トランスＴ２の１次巻線Ｐ２及び第３トランスＴ３の１次巻線Ｐ２にそれぞれ印加される交流電圧により、第１トランスＴ１の２次巻線Ｓ２、第２トランスＴ２の２次巻線Ｓ２及び第３トランスＴ３の２次巻線Ｓ３の各々に電圧が発生する。これにより、冷陰極管蛍光灯１１ａには、第１トランスＴ１の２次巻線Ｓ１の電圧と第２トランスＴ２の２次巻線Ｓ２の電圧との和の電圧が印加される。
【００３３】
同様に、冷陰極管蛍光灯１１ｂには、第１トランスＴ１の２次巻線Ｓ１の電圧と第３トランスＴ３の２次巻線Ｓ３の電圧との和の電圧が印加される。
【００３４】
これにより、冷陰極管蛍光灯１１ａ及び冷陰極管蛍光灯１１ｂがそれぞれ点灯する。第２トランスＴ２の２次巻線Ｓ２及び第３トランスＴ３の２次巻線Ｓ３は、独立であることから、一方の冷陰極管蛍光灯が点灯したとき、他方の冷陰極管蛍光灯に印加される電圧が低下しない。このため、冷陰極管蛍光灯１１ａ及び冷陰極管蛍光灯１１ｂの点灯による電圧降下の影響が少なく、安定した点灯が可能となる。
【００３５】
また、第２トランスＴ２の１次巻線Ｐ２と第２トランスＴ２の２次巻線Ｓ２、第３トランスＴ３の１次巻線第Ｐ３とトランスＴ３の２次巻線Ｓ３との疎結合は、リーケージインダクタンスＬｒ１及びＬｒ２をそれぞれ作るため、冷陰極管蛍光灯１１ａ及び冷陰極管蛍光灯１１ｂの電流はバランスする。また、冷陰極管蛍光灯１１ａ及び冷陰極管蛍光灯１１ｂに印加される電圧は、第１トランスＴ１と第２トランスＴ２又は第３トランスとで分け合うため、第１トランスＴ１及び第２トランスＴ２の出カ電圧は従来のそれよりも低くすることができる。したがって、信頼性を確保したり、また、リーク防止や沿面距離及び空間距離を確保したりといった大規模な安全対策は不要であるので、放電灯点灯装置を安価に構成できる。
【実施例４】
【００３６】
図４は、本発明の実施例４に係る放電灯点灯装置の構成を示す図である。この放電灯点灯装置は、実施例３に係る放電灯点灯装置において、第２トランスＴ２の１次巻線Ｐ２及び第３トランスＴ３の１次巻線Ｐ３を第１トランスＴ１の２次巻線Ｓ１に並列に接続したものである。この実施例４に係る放電灯点灯装置の場合も、実施例３に係る放電灯点灯装置と同様の作用及び効果が得られる。
【実施例５】
【００３７】
図５は、本発明の実施例５に係る放電灯点灯装置の構成を示す図である。この放電灯点灯装置は、実施例３に係る放電灯点灯装置において、第２トランスＴ２の１次巻線Ｐ２及び第３トランスＴ３の１次巻線Ｐ３を直列に接続して直列回路を構成し、この直列回路を第１トランスＴ１の１次巻線Ｐ１に並列に接続したものである。この実施例５に係る放電灯点灯装置の場合も、実施例３に係る放電灯点灯装置と同様の作用及び効果が得られる。
【００３８】
なお、この実施例５に係る放電灯点灯装置は、実施例４に係る放電灯点灯装置のように、上述した直列回路を第１トランスＴ１の２次巻線に並列に接続するように変形できる。この変形例に係る放電灯点灯装置の場合も、実施例５に係る放電灯点灯装置と同様の作用及び効果が得られる。
【実施例６】
【００３９】
図６は、本発明の実施例６に係る放電灯点灯装置の構成を示す図である。この放電灯点灯装置は、実施例１に係る放電灯点灯装置において、第２トランスＴ２の１次巻線Ｐ２を第１トランスの１次巻線Ｐ１に直列に接続したものである。この実施例６に係る放電灯点灯装置の場合も、実施例１に係る放電灯点灯装置と同様の作用及び効果が得られる。
【００４０】
なお、この実施例６に係る放電灯点灯装置は、実施例２に係る放電灯点灯装置のように、第２トランスＴ２の１次巻線Ｐ２を第１トランスの２次巻線Ｓ１に直列に接続するように変形できる。この変形例に係る放電灯点灯装置の場合も、実施例６に係る放電灯点灯装置と同様の作用及び効果が得られる。
【実施例７】
【００４１】
図７は、本発明の実施例７に係る放電灯点灯装置の構成を示す図である。この放電灯点灯装置は、実施例３に係る放電灯点灯装置において、第２トランスＴ２の１次巻線Ｐ２及び第３トランスＴ３の１次巻線Ｐ３の各々を、第１トランスＴ１の１次巻線Ｐ１に直列に接続したものである。この実施例７に係る放電灯点灯装置の場合も、実施例３に係る放電灯点灯装置と同様の作用及び効果が得られる。
【００４２】
なお、この実施例７に係る放電灯点灯装置は、実施例４に係る放電灯点灯装置のように、第２トランスＴ２の１次巻線Ｐ２及び第３トランスＴ３の１次巻線Ｐ３の各々を第１トランスＴ１の２次巻線Ｓ１に直列に接続するように変形できる。この変形例に係る放電灯点灯装置の場合も、実施例７に係る放電灯点灯装置と同様の作用及び効果が得られる。
【実施例８】
【００４３】
図８は、本発明の実施例８に係る放電灯点灯装置の構成を示す図である。この放電灯点灯装置は、実施例３に係る放電灯点灯装置において、第２トランスＴ２の１次巻線Ｐ２及び第３トランスＴ３の１次巻線Ｐ３を直列に接続して直列回路を構成し、この直列回路を第１トランスＴ１の１次巻線Ｐ１に直列に接続したものである。この実施例８に係る放電灯点灯装置の場合も、実施例３に係る放電灯点灯装置と同様の作用及び効果が得られる。
【００４４】
なお、この実施例８に係る放電灯点灯装置は、実施例４に係る放電灯点灯装置のように、第２トランスＴ２の１次巻線Ｐ２と第３トランスＴ３の１次巻線Ｐ３とから成る直列回路を、第１トランスＴ１の２次巻線Ｓ１に直列に接続するように変形できる。この変形例に係る放電灯点灯装置の場合も、実施例８に係る放電灯点灯装置と同様の作用及び効果が得られる。
【００４５】
上述した実施例１〜実施例８に係る放電灯点灯装置においては、２個の冷陰極管蛍光灯を制御する場合について説明したが、本発明の放電灯点灯装置では２個以上の任意の数の冷陰極管蛍光灯を制御するように構成することができる。
【産業上の利用可能性】
【００４６】
本発明は、低コストと高信頼性が要求され、複数の冷陰極管蛍光灯の並列運転が要求される放電灯点灯装置に適用可能である。
【図面の簡単な説明】
【００４７】
【図１】本発明の実施例１に係る放電灯点灯装置の構成を示す図である。
【図２】本発明の実施例２に係る放電灯点灯装置の構成を示す図である。
【図３】本発明の実施例３に係る放電灯点灯装置の構成を示す図である。
【図４】本発明の実施例４に係る放電灯点灯装置の構成を示す図である。
【図５】本発明の実施例５に係る放電灯点灯装置の構成を示す図である。
【図６】本発明の実施例６に係る放電灯点灯装置の構成を示す図である。
【図７】本発明の実施例７に係る放電灯点灯装置の構成を示す図である。
【図８】本発明の実施例８に係る放電灯点灯装置の構成を示す図である。
【図９】従来の放電灯点灯装置の構成を示す図である。
【図１０】冷陰極管蛍光灯の電圧−電流特性を示す図である。
【符号の説明】
【００４８】
Ｅ  直流電源
Ｑ１  第１スイッチング素子
Ｑ２  第２スイッチング素子
Ｃ４  電流共振用コンデンサ
Ｃ６  電圧擬似共振用コンデンサ
１０  制御回路
１１ａ，１１ｂ  冷陰極管蛍光灯
Ｔ１  第１トランス
Ｐ１  第１トランスの１次巻線
Ｓ１  第１トランスの２次巻線
Ｔ２  第２トランス
Ｐ２  第２トランスの１次巻線
Ｓ２  第２トランスの２次巻線
Ｓ２１  第２トランスの第１の２次巻線
Ｓ２２  第２トランスの第２の２次巻線
Ｔ３  第３トランス
Ｐ３  第３トランスの１次巻線
Ｓ３  第３トランスの２次巻線
【図１】
2007317502.tif 000003
【図２】
2007317502.tif 000004
【図３】
2007317502.tif 000005
【図４】
2007317502.tif 000006
【図５】
2007317502.tif 000007
【図６】
2007317502.tif 000008
【図７】
2007317502.tif 000009
【図８】
2007317502.tif 000010
【図９】
2007317502.tif 000011
【図１０】
2007317502.tif 000012